(57)【要約】【課題】  ストローを挿入する開口部と、この開口部に挿入したストローとの間に容器内外の空気の流れが得られる空気通路を確保でき、且つ空気通路から容器内の飲料が流出することを防止できる飲料用容器を得る。【解決手段】  頂部６にストローを挿入する開口部７を形成し、頂部６の内面に、開口部７を覆うように封止シート８を設け、頂部６の外面には、開口部７を覆い且つ開口部７から露出する封止シート８に接着するプルタブ９を設け、プルタブ９を頂部６の外面から引き剥がすことにより封止シート８を切除し開口部７を開口する飲料用容器１において、開口部７の大きさをストローの外径より大きくし、そして、頂部６の内面に、通気性が有り且つストローの突き刺しが可能な不透水性シート１０を、封止シート８を覆うように且つ封止シート８と分離可能に設けた。【選択図】  図２
2020104873.tif 000002
【特許請求の範囲】
【請求項１】
頂部にストローを挿入する開口部が形成され、頂部の内面には、前記開口部を覆うように前記開口部の外周縁に接着した封止シートが設けられ、前記頂部の外面には、前記開口部を覆うように前記開口部の外周縁に接着し且つ前記開口部から露出する封止シートに接着するプルタブが設けられ、前記プルタブを前記頂部の外面から引き剥がすことにより、前記封止シートを切除し前記開口部を開口する飲料用容器において、
前記開口部の大きさを前記ストローの外径より大きくし、そして、前記頂部の内面には、通気性が有り且つストローの突き刺しが可能な不透水性シートを、前記封止シートを覆うように且つ前記封止シートと分離可能に設けたことを特徴とする飲料用容器。
【請求項２】
前記不透水性シートは、メッシュ状シートからなることを特徴とする請求項１に記載の飲料用容器。
【請求項３】
前記メッシュ状シートは、メッシュが、少なくともストローによる吸い込み量に応じた通気量を確保できる開口率と容器を倒したときの漏水を防止する不透水性を確保できる目開きとを満たすものであることを特徴とする請求項２に記載の飲料用容器。
【請求項４】
前記不透水性シートは、パンチング状シートからなることを特徴とする請求項１に記載の飲料用容器。
【請求項５】
前記パンチング状シートは、パンチが、少なくともストローによる吸い込み量に応じた通気量を確保できる開口率と容器を倒したときの漏水を防止する不透水性を確保できる孔径とを満たすものであることを特徴とする請求項４に記載の飲料用容器。
【請求項６】
前記不透水性シートは、撥水性の高い材質で製造し、または撥水加工したものであることを特徴とする請求項２から５のうちのいずれか１項に記載の飲料用容器。
【発明の詳細な説明】
【技術分野】
【０００１】
本発明は、頂部にストローを挿入する開口部が形成され、ストローで液体食品等（以下、単に飲料という。）を吸飲する飲料用容器に関する。
【背景技術】
【０００２】
ストローで飲料を吸飲する飲料用容器として、頂部にストローを挿入する開口部が形成され、開口部がストローで突き刺し可能な耐水性のある封止シートで封止された飲料用容器が知られている。この飲料用容器は、開口部を封止している封止シートにストローを突き刺して、ストローを開口部から容器内に挿入し、容器内の飲料を吸飲することができる。
【０００３】
ストローを挿入する開口部は、一般に、ストローの外径とほぼ同径の円形に形成されており、このため開口部に挿入したストローと前記開口部との間に殆ど隙間が無く、さらには、ストローの突き刺しにより破断された封止シートが伸びてストローに密着し、ストローと開口部との間をシールする状態になることがある。
【０００４】
このような場合、ストローと開口部との間を通じた容器内外の空気の流れが殆ど無いといえるものであって、例えば、容器を強く握り過ぎたり、或いは容器内が加圧状態となったとき、挿入したストローから飲料が飛び出すことがある。また、飲料を吸飲したとき、容器内が負圧となって凹み、ストローから口を離すと、外部の空気がストローを通じて容器内に入り異音が発生するといった問題があった。
【０００５】
このような問題を解決する飲料用容器として、上面を有する飲料を収容するための本体からなり、前記上面に飲料を分配するための進入路手段が設けられ、当該進入路手段が開口部手段とこの開口部手段から延びる少なくとも１以上の切れ目を備え、ストローが開口部手段に挿入されたとき前記開口部手段と前記切れ目が協力して折曲タブを形成したものが提案されている（例えば、特許文献１参照。）。
【０００６】
このように構成された特許文献１に記載の飲料用容器によれば、ストローを進入路手段に対して押し込むと、進入路手段に備えた前記開口部手段と前記切れ目で区画された部分がタブとなって押し下げられてストローは挿入される。そして、挿入されたストローの外周面と押し下げられたタブとの間に隙間ができ、容器に通気を与え、挿入したストローから飲料が飛び出すといった事態を防止し、また、飲料の吸飲により容器内が負圧となったとき、前記隙間を通して外部から空気が容器内へ入り容器内の負圧を解消し、ストローから口を離しても、外部の空気がストローを通じて容器内に入り異音が発生するといった事態を防止できるとされている。
【先行技術文献】
【特許文献】
【０００７】
【特許文献１】特開平６−４８４４１号公報
【発明の概要】
【発明が解決しようとする課題】
【０００８】
特許文献１に記載の飲料用容器によれば、ストローを進入路手段に対して押し込むことにより、進入路手段に備えた前記開口部手段と前記切れ目で区画された部分がタブとなって押し下げられ、挿入されたストローの外周面と押し下げられたタブとの間に隙間ができ、容器に通気を与えられるが、その反面、容器を倒してしまったような場合、ストローの外周面とタブとの間の隙間から容器内の飲料が流出するおそれがあるといった問題があった。
【０００９】
本発明の目的は、ストローを挿入する開口部と、この開口部に挿入したストローとの間に容器内外の空気の流れが得られる空気通路を確保でき、且つ空気通路から容器内の飲料が流出することを防止できる飲料用容器を提供することにある。
【課題を解決するための手段】
【００１０】
上記の目的を達成するために、請求項１に記載の発明は、頂部にストローを挿入する開口部が形成され、頂部の内面には、前記開口部を覆うように前記開口部の外周縁に接着した封止シートが設けられ、前記頂部の外面には、前記開口部を覆うように前記開口部の外周縁に接着し且つ前記開口部から露出する封止シートに接着するプルタブが設けられ、前記プルタブを前記頂部の外面から引き剥がすことにより、前記封止シートを切除し前記開口部を開口する飲料用容器において、前記開口部の大きさを前記ストローの外径より大きくし、そして、前記頂部の内面には、通気性が有り且つストローの突き刺しが可能な不透水性シートを、前記封止シートを覆うように且つ前記封止シートと分離可能に設けたことを特徴とする。
【００１１】
請求項１に記載の発明によれば、前記頂部の外面から前記プルタブを引き剥がすことにより、前記開口部を封止している前記封止シートが切除され、通気性がある前記不透水性シートが露出する。この露出した前記不透水性シートにストローを突き刺すことにより、ストローを前記開口部に挿入できる。
前記開口部と、前記開口部に挿入したストローとの間には通気性がある前記不透水性シートが露出した状態で介在するので、前記不透水性シートに有する通気性により前記開口部と前記ストローとの間に容器内外の空気の流れが得られる空気通路を確保でき、そして、前記不透水性シートに有する不透水性により容器内の飲料が前記通気通路から流出すことを防止することができる。
【００１２】
請求項２に記載の発明は、請求項１に記載の、前記不透水性シートは、メッシュ状シートからなることを特徴とする。
【００１３】
請求項２に記載の発明によれば、前記不透水性シートは、メッシュ状シートからなるので、通気性がある前記不透水性シートを容易に得ることができるとともに、前記ストローを突き刺したとき網目が開き、前記ストローを容易に挿入することができる。
【００１４】
請求項３に記載の発明は、請求項２に記載の、前記メッシュ状シートは、メッシュが、少なくともストローによる吸い込み量に応じた通気量を確保できる開口率と容器を倒したときの漏水を防止する不透水性を確保できる目開きとを満たすものであることを特徴とする。
【００１５】
請求項３に記載の発明によれば、前記メッシュ状シートは、メッシュが、少なくともストローによる吸い込み量に応じた通気量を確保できる開口率と容器を倒したときの漏水を防止する不透水性を確保できる目開きとを満たすものであるので、飲料を吸飲したとき、吸飲量に応じた空気が前記メッシュ状シートの網目を通して外部から容器内に入り、ストローから口を離しても外部の空気がストローを通じて容器内に入り異音が発生するといった事態を防止でき、また、誤って容器を倒してしまったような場合でも容器内からの飲料の流出を防止できる。
【００１６】
請求項４に記載の発明は、請求項１に記載の、前記不透水性シートは、パンチング状シートからなることを特徴とする。
【００１７】
請求項４に記載の発明によれば、前記不透水性シートは、パンチング状シートからなるので、通気性がある前記不透水性シートを容易に得ることができるとともに、前記ストローを突き刺したとき前記不透水性シートが容易に破断し、前記ストローを容易に挿入することができる。
【００１８】
請求項５に記載の発明は、請求項４に記載の、前記パンチング状シートは、パンチが、少なくともストローによる吸い込み量に応じた通気量を確保できる開口率と容器を倒したときの漏水を防止する不透水性を確保できる孔径とを満たすものであることを特徴とする。
【００１９】
請求項５に記載の発明によれば、前記パンチング状シートは、パンチが、少なくともストローによる吸い込み量に応じた通気量を確保できる開口率と容器を倒したときの漏水を防止する不透水性を確保できる孔径とを満たすものであるので、飲料を吸飲したとき、吸飲量に応じた空気が前記パンチング状シートの孔を通して外部から容器内に入り、ストローから口を離しても外部の空気がストローを通じて容器内に入り異音が発生するといった事態を防止でき、また、誤って容器を倒してしまったような場合でも容器内からの飲料の流出を防止できる。
【００２０】
請求項６に記載の発明は、請求項２から５のうちのいずれか１項に記載の、前記不透水性シートは、撥水性の高い材質で製造し、または撥水加工したものであることを特徴とする。
【００２１】
請求項６に記載の発明によれば、前記不透水性シートは、撥水性の高い材質で製造し、撥水加工したものであるので不透水性が高くなり、その分前記不透水性シートに有する空気通路の開口率を大きくすることができる。これにより空気の流量を大きくすることができるので、飲料を勢いよく吸飲した場合でも吸飲量に応じた空気が外部から容器内へ入り、ストローから口を離しても外部の空気がストローを通じて容器内に入り異音が発生するといった事態を防止できる。
【発明の効果】
【００２２】
以上のように、本発明に係る飲料用容器によれば、ストローを挿入する開口部と、この開口部に挿入したストローとの間に容器内外の空気の流れが得られる空気通路を確保でき、且つ空気通路から容器内の飲料が流出することを防止できる。
【図面の簡単な説明】
【００２３】
【図１】本発明に係る飲料用容器の実施の形態の一例を示す一部省略斜視図である。
【図２】図１のＡ−Ａ線拡大断面図である。
【図３】図２に示す不透水性シートの概略平面図である。
【図４】開口部からプルタブを引き剥がした状態を示す断面説明図である。
【図５】開口部にストローを挿入した状態を示す断面説明図である。
【図６】本発明に係る飲料用容器の実施の形態の第２例で使用される不透水性シートを示す概略平面図である。
【発明を実施するための形態】
【００２４】
以下、本発明に係る飲料用容器の実施の形態を図面を参照して詳細に説明する。
図１乃至図５は本発明に係る飲料用容器の実施の形態の第１例を示すものであり、図１は第１例の飲料用容器を示す一部省略斜視図、図２は図１のＡ−Ａ線拡大断面図、図３は図２に示す不透水性シートの一例を示す概略平面図、図４は開口部からプルタブを引き剥がした状態を示す断面説明図、図５は開口部にストローを挿入した状態を示す断面説明図である。
【００２５】
第１例の飲料用容器１は、紙層２の表裏面に熱可塑性樹脂層３，４が積層された基材５により成形されており、頂部６にはストローを挿入する開口部７が形成されている。
開口部７にあっては、大きさがストローの外径より大きく形成されており、その大きさは、ストローを開口部７の中心に挿入したとき、ストローの外周面と開口部７の内周縁との間隔が１ｍｍ以上であることが好ましい。また、開口部７の形状は円形、多角形等特に限定されるものではない。
【００２６】
頂部６の内面には、開口部７を覆うように開口部７の外周縁に接着した封止シート８が設けられている。
封止シート８としては、ガスバリヤー性を有する素材、例えば、ナイロン、ポリエチレン、ポリエステル、エチレンビニルアルコール（ＥＶＯＨ）、ポリビニルアルコール（ＰＶＯＨ）、ポリ塩化ビニリデン（ＰＶＤＣ）等の合成樹脂を使用したシートであることが好ましい。本例ではポリ塩化ビニリデン（ＰＶＤＣ）が使用されている。
また、封止シート８は、後述するプルタブにより容易に切除可能な厚さとなっている。
【００２７】
頂部６の外面には、開口部７を覆うように開口部７の外周縁に接着し且つ開口部７から露出する封止シート８に接着するプルタブ９が設けられており、プルタブ９を頂部６の外面から引き剥がすことにより、封止シート８を切り取ることができるようになっている。
プルタブの材質にあっては特に限定されないが、第１例ではアルミシートが使用されている。
【００２８】
また、頂部６の内面には、通気性が有り且つストローの突き刺しが可能な不透水性シート１０が、封止シート８を覆うように且つ封止シート８と分離可能に設けられている。分離可能に接触する不透水性シート１０と封止シート８の接触面は、非接着或いは界面剥離可能に接着した状態となっている。
不透水性シート１０にあって、不透水とは、飲料用容器１内の飲料が満たされている状態で、飲料用容器１を倒したとき飲料の漏水が無い状態をいい、滲み出しても漏れなければ不透水という。
【００２９】
第１例では、不透水性シート１０として合成樹脂で製造されたメッシュ状シート１０ａが使用されている。
メッシュ状シート１０ａにおけるメッシュ数、目開き、線径、開口率は、少なくともストローによる吸い込み量に応じた通気量を確保できる開口率と不透水性を確保できる目開きとを満たし、さらにはストローの突き刺しが可能であることを要する。
【００３０】
メッシュ状シート１０ａの不透水性は、その材質によっても大きく影響を受け、例えばフッ素樹脂のような撥水性の高い材質である場合や撥水加工をしたものである場合は、撥水性の無い或いは低い材質である場合や撥水加工をしていないものである場合に比べ目開きを大きくすることができる。
また、メッシュ状シート１０ａにおける不透水性にあっては、飲料用容器１内に収容されている飲料によっても一様ではなく、飲料の内容によって目開きや開口率も変わる。
従って、メッシュ状シート１０ａにおける目開きや開口率は、メッシュ状シート１０ａの材質、飲料の内容等に応じて設定される。
【００３１】
また、第１例では、封止シート８を覆うメッシュ状シート１０ａには、開口部７の中央の位置に、ストローの突き刺しを容易にするための切り込み１１が形成されている。この切り込み１１はストローの直径を超えない範囲に形成されている。
【００３２】
このように構成された第１例の飲料用容器１によれば、飲料用容器１の頂部６に形成された開口部７の内面に、開口部７を覆うように開口部７の外周縁に接着した封止シート８が設けられ、頂部６の外面には、開口部７を覆うように開口部７の外周縁に接着し且つ開口部７から露出する封止シート８に接着するプルタブ９が設けられ、そして、頂部６の内面には、通気性が有り且つストロー１２の突き刺しが可能な不透水性シート１０が、封止シート８を覆うように且つ封止シート８と分離可能に設けられているので、飲用時に、プルタブ９を頂部６の外面から引き剥がすことにより、開口部７内にある封止シート８が切り取られ、不透水性シート１０が開口部７内に露出する（図４参照。）。
この露出した不透水性シート８にストロー１２を突き刺すことにより、ストロー１２を開口部７に挿入できる（図５参照）。
このとき、開口部７と、開口部７に挿入したストロー１２との間には通気性がある不透水性シート１０が露出した状態で介在するので、不透水性シートに有する通気性により開口部７とストロー１２との間に飲料用容器１内外の空気の流れが得られる空気通路を確保でき、そして、不透水性シート１０に有する不透水性により飲料用容器１内の飲料が通気通路から流出すことを防止することができる。
【００３３】
第１例では、不透水性シート１０として合成樹脂で製造されたメッシュ状シート１０ａが使用されているので、通気性と不透水性のある不透水性シート１０を容易に得ることができるとともに、ストロー１２を突き刺したときメッシュ状シート１０ａの網目が開き、ストロー１２を容易に挿入することができる。
【００３４】
また、第１例では、メッシュ状シート１０ａにおける開口部７の中央の位置に切り込み１１が形成されているので、この切り込み１１に向けてストロー１２を突き刺すことにより、容易に突き刺すことができる。この切り込み１１はストロー１２の直径を超えない範囲に形成されているので、メッシュ状シート１０ａとストロー１２の外周面との間に隙間が空くことはないので、飲料がメッシュ状シート１０ａとストロー１２の間から漏れるおそれはない。
【００３５】
また、メッシュ状シート１０ａが、フッ素樹脂のような撥水性の高い材質である場合や撥水加工をしたものである場合メッシュ状シート１０ａの不透水性が高くなり、その分メッシュ状シート１０ａの目開きを大きくすることができ、メッシュ状シート１０ａに有する空気通路の開口率を大きくすることができる。
これにより空気の流量を大きくすることができるので、飲料を勢いよく吸飲した場合でも吸飲量に応じた空気が外部から飲料用容器１内に入り、ストロー１２から口を離しても外部の空気がストロー１２を通じて飲料用容器１内に入り異音が発生するといった事態を防止できる。
【００３６】
図６は本発明に係る飲料用容器の実施の形態の第２例を示すものであり、図６は第２例の飲料用容器で使用される不透水性シートを示す概略平面図である。
第２例の飲料用容器１について、第１例と同一の構成については同一の符号を付してその説明を省略し、第１例と異なる構成についてのみ説明する。
【００３７】
第２例の飲料用容器１で使用される不透水性シート１０は、合成樹脂で製造されたパンチング状シート１０ｂが使用されている。
パンチング状シート１０ｂにおけるパンチ孔１３の孔径は、通気性が確保でき且つ飲料用容器１内の飲料が満たされている状態で、飲料用容器１を倒したとき飲料の漏水を阻止できる孔径を有するとともに、少なくともストロー１２による吸い込み量に応じた通気量を確保できる開口率を有し、さらにはストロー１２の突き刺しが可能な厚さとなっている。
【００３８】
パンチング状シート１０ｂの不透水性は、その材質によっても大きく影響を受け、例えばフッ素樹脂のような撥水性の高い材質である場合や撥水加工をしたものである場合は、撥水性の無い或いは低い材質である場合や撥水加工をしていないものである場合に比べパンチ孔１３の孔径を大きくすることができる。
また、パンチング状シート１０ｂにおける不透水性にあっては、飲料用容器１内に収容されている飲料によっても一様ではなく、飲料の内容によってパンチ孔１３の孔径や開口率も変わる。
従って、パンチング状シート１０ｂにおけるパンチ孔１３の孔径や開口率は、パンチング状シート１０ｂの材質、飲料の内容等に応じて設定される。
【００３９】
また、第２例では、第１例と同様に、封止シート８を覆うパンチング状シート１０ｂには、開口部７の中央の位置に、ストロー１２の突き刺しを容易にするための切り込み１１が形成されている。この切り込み１１はストローの直径を超えない範囲に形成されている。
【００４０】
このように構成された第２例の飲料用容器１によれば、不透水性シート１０として合成樹脂で製造されたパンチング状シート１０ｂが使用されているので、通気性がある不透水性シート１０を容易に得ることができるとともに、ストロー１２を突き刺したときパンチング状シート１０ｂが容易に破断し、ストロー１２を容易に挿入することができる。
【００４１】
第２例では、第１例と同様に、パンチング状シート１０ｂにおける開口部７の中央の位置に切り込み１１が形成されているので、この切り込み１１に向けてストロー１２を突き刺すことにより、容易に突き刺すことができる。この切り込み１１はストロー１２の直径を超えない範囲に形成されているので、パンチング状シート１０ｂとストロー１２の外周面との間に隙間が空くことはないので、飲料がパンチング状シート１０ｂとストロー１２の間から漏れるおそれはない。
【００４２】
また、パンチング状シート１０ｂが、フッ素樹脂のような撥水性の高い材質である場合や撥水加工をしたものである場合パンチング状シート１０ｂの不透水性が高くなり、その分パンチング状シート１０ｂのパンチ孔１３の孔径を大きくすることができ、パンチング状シート１０ｂに有する空気通路の開口率を大きくすることができる。
これにより空気の流量を大きくすることができるので、飲料を勢いよく吸飲した場合でも吸飲量に応じた空気が外部から飲料用容器１内に入り、ストロー１２から口を離しても外部の空気がストロー１２を通じて飲料用容器１内に入り異音が発生するといった事態を防止できる。
【００４３】
なお、第１例及び第２例に示す飲料用容器１は、いずれも紙製の容器となっているが、紙製以外の容器であってもよいことは勿論である。
【符号の説明】
【００４４】
１  飲料用容器
２  紙層
３，４  熱可塑性樹脂層
５  基材
６  頂部
７  開口部
８  封止シート
９  プルタブ
１０  不透水性シート
１０ａ  メッシュ状シート
１０ｂ  パンチング状シート
１１  切り込み
１２  ストロー
１３  パンチ孔
【図１】
2020104873.tif 000003
【図２】
2020104873.tif 000004
【図３】
2020104873.tif 000005
【図４】
2020104873.tif 000006
【図５】
2020104873.tif 000007
【図６】
2020104873.tif 000008